(57)【要約】【課題】装着したときにソフト感を得ることができ、金属素材に敏感な人でも装着することが可能である金属製品、特に装身具を提供すること。【解決手段】本発明による金属製品、特に装身具は、金、プラチナ、銀、チタン及び真鍮からなる群より選ばれた金属素材から形成される本体と、該本体の使用時における人肌との接触領域面には、エポキシ樹脂、シリコーン樹脂、及びフッ素樹脂からなる群より選ばれた合成樹脂から形成される接触回避層が形成されている。【選択図】図２
2006247282.tif 000002
【特許請求の範囲】
【請求項１】
金属素材から形成される本体と、該本体使用時における人肌との接触領域面には、樹脂素材又ガラス素材から形成される接触回避層が設けられていることを特徴とする金属製品。
【請求項２】
前記接触回避層を形成する樹脂素材は、エポキシ樹脂、シリコーン樹脂、及びフッ素樹脂からなる群より選ばれた合成樹脂である請求項１記載の金属製品。
【請求項３】
前記本体を形成する金属素材は、金、プラチナ、銀、チタン及び真鍮からなる群より選ばれた貴金属である請求項１又は請求項２記載の金属製品。
【請求項４】
前記本体は、指輪、ペンダント、ネックレス、ブレスレット、アンクレット、イアリング、及びピアスからなる群より選ばれた装身具である請求項１乃至請求項３記載の金属製品。
【発明の詳細な説明】
【技術分野】
【０００１】
本発明は、使用に際し、人肌との接触回避層が設けられていることを特徴とする金属製品、特に、指輪やペンダントなどの装身具に関する。
【背景技術】
【０００２】
指輪やペンダントなどの装身具の本体は、その装飾性を向上させるために、一般には、金、プラチナなどの貴金属からなる金属素材で形成されるが、例えば、そのような指輪やペンダントを使用時に身につけると、人肌と接触したときに金属素材の冷たい感覚がダイレクトに伝わり、ソフトな装着感が感じられない。また、金属素材に敏感な肌を有する人は、アレルギー反応を生じ、そのような装身具を装着することができない。
【発明の開示】
【発明が解決しようとする課題】
【０００３】
本発明はかかる点に鑑みてなされたものであり、使用時にソフトな装着感を得ることができ、金属素材に敏感な人でも装着することが可能な金属製品、特に、指輪やペンダントなどの装身具を提供することを目的とする。
【課題を解決するための手段】
【０００４】
本発明の金属製品は、金属素材から形成される本体と、該本体使用時における人肌との接触領域面には、樹脂素材又ガラス素材から形成される接触回避層が設けられていることを特徴とする。
【０００５】
本発明の金属製品においては、接触回避層を形成する樹脂素材は、エポキシ樹脂、シリコーン樹脂、及びフッ素樹脂からなる群より選ばれた合成樹脂であることが好ましい。また、本体を形成する金属素材は、金、プラチナ、銀、チタン及び真鍮からなる群より選ばれた貴金属であることが好ましい。さらに、本体は、指輪、ペンダント、ネックレス、ブレスレット、アンクレット、イアリング、及びピアスからなる群より選ばれた装身具であることが好ましい。
【発明の効果】
【０００６】
本発明に係る金属製品、特に装身具においては、使用時における人肌との接触領域面に接触回避層が設けられているので、装着したときにソフト感を得ることができ、金属素材に敏感な人でも装着することが可能である。
【発明を実施するための最良の形態】
【０００７】
以下、本発明の一実施形態につき、添付図面を参照して詳細に説明する。なお、便宜上、本実施形態においては、金属製品が装身具であり、特にそのうち指輪である場合につき説明する。
【０００８】
図１は、本実施形態に係る指輪を示す斜視図である。また、図２は、図１に示す指輪の断面を示す図である。指輪１は円環形状を有しており、その開口部に人の指を挿通し身につけるようになっている。指輪１は、円環形状を有する本体１１と、本体１１において人肌と接触する領域、すなわち内周面上にエポキシ樹脂から形成された接触回避層１２とを設けている。
【０００９】
本体１１を形成する素材としては、金、プラチナ、銀、チタンの貴金属及び真鍮などを用いることができる。本体１１を所定形状、すなわち円環形状に形成する方法としては、装身具の製造において通常使用される方法、ロストワックスキャスティング、プレス成型、ハンドメイドなどを用いることができる。
【００１０】
接触回避層１２に用いられるエポキシ樹脂としては、皮膚刺激性の低い、すなわち実質的に刺激性のないエポキシ樹脂を用いることができる。したがって、エポキシ主剤、硬化剤、硬化促進剤、溶剤として皮膚刺激性の低い材料を適宜選択して用いることができる。
【００１１】
この指輪１は、所望の指寸法よりもやや大きいサイズ、例えば一番手大きい指寸法により本体１１の内径３を作製しておき、その内周面にエポキシ樹脂を塗布し硬化させる。そして、内径３が所望の寸法になるまでエポキシ樹脂の塗布・硬化を少なくとも１回、必要に応じて数回行う。その後、形成された接触回避層１２を研磨し、内径３の指寸法を調整し、内周面を平滑化する。さらに、必要に応じて、本体１１の表面を軽く研磨し、メッキ仕上げをする。
【００１２】
なお、例えば、図３に示すようなペンダント４など、指にフィットさせる必要のない装身具や、その他一般的な金属製品においては、本体２１を作製し、使用時における人肌との接触領域（図３においてはペンダント４の裏面）にエポキシ樹脂を塗布、硬化して接触回避層２２を形成した後、若干の平滑化を施せば足りる。
【００１３】
このように金属製品における人肌との接触領域にエポキシ樹脂などからなる接触回避層を形成することにより、特に装身具においては、装着したときのソフト感を得ることができ、金属素材に敏感な人でも装着することができる。また、通常、例えば、スキー場のような寒い環境下などで装身具を使用すると、金属素材は熱伝導性に優れるため、装身具が非常に冷たくなり心地よく装着できず、冷やけどの危険もある。しかし、本実施形態のようにエポキシ樹脂などからなる接触回避層を形成すると、クッションとしての役割を果たし、冷たくなる部分が人肌と直接接触しないので心地よく装着することができる。
【００１４】
また、指輪は使用する人の指サイズが異なった場合、あるいは他の人が使用する場合には、サイズ直しが必要となる。本実施形態の指輪によれば、従来のような指輪を一旦切断して、寸法を再調整し、ロー付けを施してつなげるというような手間のかかるサイズ直し作業が不要で、内周面に形成されたエポキシ樹脂を研磨、研削することにより、ある程度のサイズ直しであれば容易に行える。
【００１５】
本発明は上記した実施形態に限定されず、種々変形して実施することができる。例えば、上記した実施形態においては、装身具が指輪又はペンダントである場合について説明しているが、それ以外の装身具、例えば、ネックレス、ブレスレット、アンクレット、イアリング、及びピアスなどに適用することもできる。この場合、本体における人肌との接触領域面は、指又は胸元以外の首周辺、手首周辺、足首周辺、耳たぶなどである。
【００１６】
さらに、本発明は、装身具以外の金属製品についても、人肌との接触領域面に適用が可能である。例えば、図４は、実施形態がメガネ５である本発明における耳かけ部３１と接触回避層３２、図５は、実施形態が時計６である本発明におけるベルト本体４１と接触回避層４２を示している。
【００１７】
くわえて、上記した実施形態においては、接触回避層がエポキシ層である場合について説明しているが、本発明は、接触回避層をエポキシ層以外の樹脂素材、例えば、シリコーン樹脂、フッ素樹脂などの合成樹脂、又はガラスなどの素材により形成することもできる。その他、本発明の範囲を逸脱しない限りにおいて適宜変更して実施することができる。
【図面の簡単な説明】
【００１８】
【図１】本発明の実施形態に係る装身具である指輪を示す斜視図である。
【図２】図１に示す指輪の断面を示す図である。
【図３】本発明の実施形態に係る装身具であるペンダントを示す斜視図である。
【図４】本発明の実施形態に係る金属製品であるメガネを示す斜視図である。
【図５】本発明の実施形態に係る金属製品である時計を示す斜視図である。
【符号の説明】
【００１９】
１    指輪
２    宝石
３    内径
４    ペンダント
５    メガネ
６    時計
１１  本体
１２  接触回避層
２１  本体
２２  接触回避層
３１  耳かけ部
３２  接触回避層
４１  ベルト本体
４２  接触回避層
【図１】
2006247282.tif 000003
【図２】
2006247282.tif 000004
【図３】
2006247282.tif 000005
【図４】
2006247282.tif 000006
【図５】
2006247282.tif 000007